(57)【要約】【課題】ユーザの作業効率を低下させることなく、印刷物の受取人として指定されている印刷指示が存在することを、受取人であるユーザに把握させるようにする。【解決手段】本発明に係る印刷システムは、記憶媒体に記憶されたデータを読み取る読取装置を備えた端末装置と、印刷処理を行う画像形成装置とを有し、端末装置は、読取装置より読み取られた記憶媒体の所有者を識別する記憶媒体識別情報を取得する記憶媒体識別情報読取手段と、読み取られた記憶媒体識別情報と、該端末装置が記憶する端末識別情報とを含む通知先情報を、画像形成装置へ送信する送信手段とを有し、画像形成装置は、印刷物の受取人の記憶媒体識別情報を付加した印刷指示を受け付ける受付手段と、送信された通知先情報と受け付けた印刷指示とに基づいて取得した端末識別情報を記憶する端末装置へ、受け付けた印刷指示が存在することを通知する通知制御手段とを有する。【選択図】図３
2011198229.tif 000002
【特許請求の範囲】
【請求項１】
記憶媒体に記憶されたデータを読み取る読取装置を備えた端末装置と、記憶媒体による認証後、受け付けた印刷指示に基づいて印刷処理を行う画像形成装置とを有し、
前記端末装置は、
前記読取装置により読み取られたデータから、記憶媒体の所有者を識別する記憶媒体識別情報を取得する記憶媒体識別情報取得手段と、
前記記憶媒体識別情報取得手段により取得した記憶媒体識別情報と、該端末装置に記憶された端末識別情報とを含む通知先情報を、前記画像形成装置へ送信する送信手段と
を有し、
前記画像形成装置は、
印刷処理により出力される印刷物の受取人の記憶媒体識別情報を付加した印刷指示を受け付ける受付手段と、
前記送信手段により送信された通知先情報のうち、通知先情報に含まれる記憶媒体識別情報が、前記受付手段により受け付けた印刷指示に付加された記憶媒体識別情報と一致する通知先情報に含まれる端末識別情報を取得し、取得した端末識別情報を記憶する前記端末装置へ、前記受付手段により受け付けた印刷指示が存在することを通知する通知制御手段と
を有する
印刷システム。
【請求項２】
前記受付手段により受け付けた印刷指示に基づく印刷処理により出力される印刷物の受取人が、前記印刷指示の指示者と異なるか否かを判定する判定手段をさらに有し、
前記通知制御手段は、前記判定手段により、受取人が指示者と異なると判定された場合、前記取得した端末識別情報を記憶する前記端末装置へ、前記受付手段により受け付けた印刷指示が存在することを通知する
請求項１に記載の印刷システム。
【請求項３】
記憶媒体に記憶されたデータを読み取る読取装置を備え、記憶媒体による認証後、受け付けた印刷指示に基づいて印刷処理を行う画像形成装置に接続され、
前記読取装置により読み取られたデータから、記憶媒体の所有者を識別する記憶媒体識別情報を取得する記憶媒体識別情報取得手段と、
前記記憶媒体識別情報取得手段により取得した記憶媒体識別情報と、自己が記憶する端末識別情報とを含む通知先情報を、前記画像形成装置へ送信する送信手段と
を有する端末装置。
【請求項４】
記憶媒体の所有者を識別する記憶媒体識別情報と、自己が記憶する端末識別情報とを含む通知先情報を送信する端末装置に接続され、
印刷処理により出力される印刷物の受取人の記憶媒体識別情報を付加した印刷指示を受け付ける受付手段と、
前記端末装置から送信された通知先情報のうち、通知先情報に含まれる記憶媒体識別情報が、前記受付手段により受け付けた印刷指示に付加された記憶媒体識別情報と一致する通知先情報に含まれる端末識別情報を取得し、取得した端末識別情報を記憶する前記端末装置へ、前記受付手段により受け付けた印刷指示が存在することを通知する通知制御手段と
を有する画像形成装置。
【請求項５】
前記受付手段により受け付けた印刷指示に基づく印刷処理により出力される印刷物の受取人が、前記印刷指示の指示者と異なるか否かを判定する判定手段をさらに有し、
前記通知制御手段は、前記判定手段により、受取人が指示者と異なると判定された場合、前記取得した端末識別情報を記憶する前記端末装置へ、前記受付手段により受け付けた印刷指示が存在することを通知する
請求項４に記載の画像形成装置。
【請求項６】
それぞれコンピュータを含み、記憶媒体に記憶されたデータを読み取る読取装置を備えた端末装置と、記憶媒体による認証後、受け付けた印刷指示に基づいて印刷処理を行う画像形成装置とを有する印刷システムにおいて、
前記端末装置のコンピュータに、
前記読取装置により読み取られたデータから、記憶媒体の所有者を識別する記憶媒体識別情報を取得する記憶媒体識別情報取得ステップと、
前記記憶媒体識別情報取得ステップにより取得した記憶媒体識別情報と、該端末装置に記憶された端末識別情報とを含む通知先情報を、前記画像形成装置へ送信する送信ステップと
を実行させ、
前記画像形成装置のコンピュータに、
印刷処理により出力される印刷物の受取人の記憶媒体識別情報を付加した印刷指示を受け付ける受付ステップと、
前記送信ステップにより送信された通知先情報のうち、通知先情報に含まれる記憶媒体識別情報が、前記受付ステップにより受け付けた印刷指示に付加された記憶媒体識別情報と一致する通知先情報に含まれる端末識別情報を取得し、取得した端末識別情報を記憶する前記端末装置へ、前記受付ステップにより受け付けた印刷指示が存在することを通知する通知制御ステップと
を実行させる
プログラム。
【発明の詳細な説明】
【技術分野】
【０００１】
本発明は、印刷システム、端末装置、画像形成装置及びプログラムに関する。
【背景技術】
【０００２】
例えば、特許文献１は、イントラネットに接続された複数の端末の各々が、所定の距離以内に近づく利用者のＩＤを自動的に検出してサーバに送信し、サーバが当該利用者の認証を行い、サーバが当該利用者あてに配信される情報を、利用者を検出した端末に対して送信する記録媒体を開示する。
【０００３】
また、例えば、引用文献２は、端末の電源を投入すると、端末の固有情報を情報センターに送信し、情報センターは初期メニュー画面に係るデータを該端末に送信し 、端末は初期メニュー画面に係るデータを受信して、該端末の表示装置に初期メニュー画面を表示し、端末へＩＣカードが挿入された場合、ＩＣカードのデータを情報センターに送信し、情報センター は、ＩＣカード及びＩＣカードの個人認証を行い、ＩＣカードのデータに対応したデータを端末に送信する情報端末および情報センターを開示する。
【先行技術文献】
【特許文献】
【０００４】
【特許文献１】特開２００２−０５５９５０号公報
【特許文献２】特開２００３−２２３４２４号公報
【発明の概要】
【発明が解決しようとする課題】
【０００５】
本発明は、ユーザの作業効率を低下させることなく、印刷物の受取人として指定されている印刷指示が存在することを、受取人であるユーザに把握させる印刷システム、端末装置、画像形成装置及びプログラムを提供することを目的とする。
【課題を解決するための手段】
【０００６】
請求項１に係る本発明は、記憶媒体に記憶されたデータを読み取る読取装置を備えた端末装置と、記憶媒体による認証後、受け付けた印刷指示に基づいて印刷処理を行う画像形成装置とを有し、前記端末装置は、前記読取装置により読み取られたデータから、記憶媒体の所有者を識別する記憶媒体識別情報を取得する記憶媒体識別情報取得手段と、前記記憶媒体識別情報取得手段により取得した記憶媒体識別情報と、該端末装置に記憶された端末識別情報とを含む通知先情報を、前記画像形成装置へ送信する送信手段とを有し、前記画像形成装置は、印刷処理により出力される印刷物の受取人の記憶媒体識別情報を付加した印刷指示を受け付ける受付手段と、前記送信手段により送信された通知先情報のうち、通知先情報に含まれる記憶媒体識別情報が、前記受付手段により受け付けた印刷指示に付加された記憶媒体識別情報と一致する通知先情報に含まれる端末識別情報を取得し、取得した端末識別情報を記憶する前記端末装置へ、前記受付手段により受け付けた印刷指示が存在することを通知する通知制御手段とを有する印刷システムである。
【０００７】
請求項２に係る本発明は、前記受付手段により受け付けた印刷指示に基づく印刷処理により出力される印刷物の受取人が、前記印刷指示の指示者と異なるか否かを判定する判定手段をさらに有し、前記通知制御手段は、前記判定手段により、受取人が指示者と異なると判定された場合、前記取得した端末識別情報を記憶する前記端末装置へ、前記受付手段により受け付けた印刷指示が存在することを通知する請求項１に記載の印刷システムである。
【０００８】
請求項３に係る本発明は、記憶媒体に記憶されたデータを読み取る読取装置を備え、記憶媒体による認証後、受け付けた印刷指示に基づいて印刷処理を行う画像形成装置に接続され、前記読取装置により読み取られたデータから、記憶媒体の所有者を識別する記憶媒体識別情報を取得する記憶媒体識別情報取得手段と、前記記憶媒体識別情報取得手段により取得した記憶媒体識別情報と、自己が記憶する端末識別情報とを含む通知先情報を、前記画像形成装置へ送信する送信手段とを有する端末装置である。
【０００９】
請求項４に係る本発明は、記憶媒体の所有者を識別する記憶媒体識別情報と、自己が記憶する端末識別情報とを含む通知先情報を送信する端末装置に接続され、印刷処理により出力される印刷物の受取人の記憶媒体識別情報を付加した印刷指示を受け付ける受付手段と、前記端末装置から送信された通知先情報のうち、通知先情報に含まれる記憶媒体識別情報が、前記受付手段により受け付けた印刷指示に付加された記憶媒体識別情報と一致する通知先情報に含まれる端末識別情報を取得し、取得した端末識別情報を記憶する前記端末装置へ、前記受付手段により受け付けた印刷指示が存在することを通知する通知制御手段とを有する画像形成装置である。
【００１０】
請求項５に係る本発明は、前記受付手段により受け付けた印刷指示に基づく印刷処理により出力される印刷物の受取人が、前記印刷指示の指示者と異なるか否かを判定する判定手段をさらに有し、前記通知制御手段は、前記判定手段により、受取人が指示者と異なると判定された場合、前記取得した端末識別情報を記憶する前記端末装置へ、前記受付手段により受け付けた印刷指示が存在することを通知する請求項４に記載の画像形成装置である。
【００１１】
請求項６に係る本発明は、それぞれコンピュータを含み、記憶媒体に記憶されたデータを読み取る読取装置を備えた端末装置と、記憶媒体による認証後、受け付けた印刷指示に基づいて印刷処理を行う画像形成装置とを有する印刷システムにおいて、前記端末装置のコンピュータに、前記読取装置により読み取られたデータから、記憶媒体の所有者を識別する記憶媒体識別情報を取得する記憶媒体識別情報取得ステップと、前記記憶媒体識別情報取得ステップにより取得した記憶媒体識別情報と、該端末装置に記憶された端末識別情報とを含む通知先情報を、前記画像形成装置へ送信する送信ステップとを実行させ、前記画像形成装置のコンピュータに、印刷処理により出力される印刷物の受取人の記憶媒体識別情報を付加した印刷指示を受け付ける受付ステップと、前記送信ステップにより送信された通知先情報のうち、通知先情報に含まれる記憶媒体識別情報が、前記受付ステップにより受け付けた印刷指示に付加された記憶媒体識別情報と一致する通知先情報に含まれる端末識別情報を取得し、取得した端末識別情報を記憶する前記端末装置へ、前記受付ステップにより受け付けた印刷指示が存在することを通知する通知制御ステップとを実行させるプログラムである。
【発明の効果】
【００１２】
請求項１に係る本発明によれば、ユーザの作業効率を低下させることなく、印刷物の受取人として指定されている印刷指示が存在することを、受取人であるユーザに把握させる印刷システムを提供することができる。
【００１３】
請求項２に係る本発明によれば、請求項１に係る発明の効果に加えて、印刷物の受取人と印刷指示を行った印刷指示者とが異なる場合にのみ、受取人として指定されている印刷指示が存在することを、受取人であるユーザに把握させる印刷システムを提供することができる。
【００１４】
請求項３に係る本発明によれば、ユーザの作業効率を低下させることなく、印刷物の受取人として指定されている印刷指示が存在することを、受取人であるユーザに把握させる端末装置を提供することができる。
【００１５】
請求項４に係る本発明によれば、ユーザの作業効率を低下させることなく、印刷物の受取人として指定されている印刷指示が存在することを、受取人であるユーザに把握させる画像形成装置を提供することができる。
【００１６】
請求項５に係る本発明によれば、請求項４に係る発明の効果に加えて、印刷物の受取人と印刷指示を行った印刷指示者とが異なる場合にのみ、受取人として指定されている印刷指示が存在することを、受取人であるユーザに把握させる画像形成装置を提供することができる。
【００１７】
請求項６に係る本発明によれば、ユーザの作業効率を低下させることなく、印刷物の受取人として指定されている印刷指示が存在することを、受取人であるユーザに把握させるプログラムを提供することができる。
【図面の簡単な説明】
【００１８】
【図１】本発実施形態に係る第１の印刷システムの構成を例示する図である。
【図２】図１に示した画像形成装置及び端末装置のハードウェア構成を例示する図である。
【図３】図１及び図２に示した画像形成装置上で実行されるプログラムの構成を例示する図である。
【図４】図３に示した印刷ジョブ情報記憶部が記憶する印刷ジョブ情報テーブルを例示する図である。
【図５】図３に示した通知先情報記憶部が記憶する通知先情報テーブルを例示する図である。
【図６】図１及び図２に示した端末装置上で実行されるプログラムの構成を例示する図である。
【図７】図６に示した印刷ジョブ情報表示部により表示される印刷ジョブ情報の表示画面を例示する図である。
【図８】本実施形態における画像形成装置の動作例を示すフローチャートである。
【図９】本実施形態における第１の印刷システムの全体動作例を示すシーケンス図である。
【図１０】本実施形態における第２の印刷システムの構成を例示する図である。
【図１１】図１０に示した携帯端末上で実行されるプログラムの構成を例示する図である。
【図１２】本実施形態における第２の印刷システムの全体動作例を示すシーケンス図である。
【発明を実施するための形態】
【００１９】
［本実施形態がなされるに至った経緯］
以下、本実施形態の説明に先立ち、その理解を助けるために、本実施形態がなされるに至った経緯を説明する。
ＩＣ（Integrated Circuit）カード認証を利用した印刷システムは、印刷装置において、ＩＣカード認証後に印刷を行うことで、印刷物の放置による情報漏えいや、印刷物の取り違えによる紛失などを防止する。
具体的には、例えば、ユーザが使用する端末装置から、印刷装置に対して印刷指示を行う際に、端末装置にインストールされたプリンタドライバが、印刷指示をしたユーザを識別するＩＣカード識別情報（例えば、ＩＤ（Identity Document）番号）を、印刷ジョブ（印刷指示）に付加し、印刷指示をしたユーザが、印刷装置上でＩＣカード認証を行うことにより、印刷物を出力する。
この場合、印刷指示をしたユーザ（印刷指示者）と、印刷装置から印刷物を出力するユーザ（受取人）は同一人である。
【００２０】
一方、印刷ジョブの内容や種類によっては、印刷指示者とは異なる受取人による印刷物の出力が必要となることがある。
この場合、印刷指示者は、印刷指示を行う際に、受取人のＩＣカード識別情報を印刷ジョブに付加し、印刷指示者が使用する端末装置を介して、印刷装置に対して印刷ジョブを送信する。
そのため、受取人は、自ら印刷指示を行っていないので、受取人が処理すべき印刷ジョブの存在を把握できない場合がある。
また、上述のような受取人が印刷ジョブの存在を把握できない状況を防止するため、受取人が印刷装置の設置場所まで行き、ＩＣカード認証を行って、受取人宛ての印刷ジョブの存在を確認したり、印刷指示者が、受取人に対して別途連絡したりする必要があるので、受取人や印刷指示者の作業効率が低下する場合がある。
本実施形態は、以上に説明した経緯によりなされたものである。
【００２１】
［第１の実施形態］
以下、本発明の第１の実施形態を説明する。
【００２２】
［第１の印刷システム１］
図１は、本発明の第１の実施形態の実現に用いられる第１の印刷システム１の構成を例示する図である。
図１に示すように、第１の印刷システム１は、ｎ台の画像形成装置１２−１〜１２−ｎ（ｎ≧１；ただし、全てのｎが常に同数を示すとは限らない）を介して接続されたＬＡＮなどのネットワーク１００−１とネットワーク１００−２とから構成される。
ネットワーク１００−１には、挿入されたＩＣカード（記憶媒体）に記憶されたデータを読み取るＩＣカード読取装置１６をそれぞれ備えるｎ台の端末装置１４−１〜１４−ｎが接続され、ネットワーク１００−２には、プリントサーバ１８が接続される。
なお、本実施形態において、ＩＣカード読取装置１６は、挿入されたＩＣカードに記憶されたデータを読み取る構成を有するが、挿入されたＩＣカードに対してデータを書き込む構成をさらに有するＩＣカード読書き装置であってもよい。
【００２３】
第１の印刷システム１は、これらの構成部分により、プリントサーバ１８から画像形成装置１２−１〜１２−ｎに送信された印刷ジョブ（印刷指示）の情報を、印刷ジョブの受取人が使用する端末装置１４−１〜１４−ｎのいずれかに通知する。
なお、以下、画像形成装置１２−１〜１２−ｎなど、複数ある構成部分のいずれかを示すときは、単に、画像形成装置１２と記載することがある。
以下、各図において、実質的に同じ構成部分・処理には、同じ符号が付される。
また、以下、印刷ジョブは、印刷指示の一例として用いられ、ＩＣカードは、記憶媒体の一例として用いられる。
【００２４】
［ハードウェア構成］
図２は、図１に示した画像形成装置１２及び端末装置１４のハードウェア構成を例示する図である。
図２に示すように、画像形成装置１２及び端末装置１４は、メモリ１２４及びＣＰＵ１２２などを含む本体１２０、キーボード、タッチパネル及び表示装置などを含む外部入出力装置１２６、画像形成装置１２において、例えば、印刷出力のために用いられる印刷装置などの機能実現部１２８、データ通信を行うための通信装置１３０、及び、ＨＤ，ＣＤ，ＤＶＤ，ＦＤ，不揮発性メモリ，ＵＳＢメモリなどの記憶媒体１３４に対してデータの書き込み及び読み出しを行う記録装置１３２などから構成される。
つまり、画像形成装置１２及び端末装置１４それぞれは、それぞれに要求される機能を実現するための構成部分を有し、他の装置などと通信可能なコンピュータとしての構成部分を有している。
【００２５】
［画像形成プログラム２０］
図３は、画像形成装置１２（図１，２）上で実行される画像形成プログラム２０の構成を例示する図である。
図３に示すように、画像形成プログラム２０は、印刷ジョブ受信部２００、判定部２０２、印刷ジョブ情報記憶部２０４、通知先情報管理部２０６、通知先情報記憶部２０８、通知制御部２１０、印刷ジョブ記憶部２１２、及び、印刷制御部２１４から構成される。
画像形成プログラム２０は、例えば、メモリ１２４（図２）に記憶されて画像形成装置１２に供給され、必要に応じて、画像形成装置１２にインストールされたＯＳ（図示せず）上で、画像形成装置１２のハードウェア資源を、具体的に利用して実行される（以下に示す各ソフトウェアについても同様）。
画像形成プログラム２０は、端末装置１４（図１）から受信した印刷ジョブの通知先情報に基づいて、プリントサーバ１８から受信した印刷ジョブの情報を、印刷ジョブの受取人が使用する端末装置１４へ通知する。
【００２６】
印刷ジョブ受信部２００は、属性情報が付加された印刷ジョブを、プリントサーバ１８（図１）から受信して、受信した日時を属性情報に付加した印刷ジョブを、判定部２０２に対して出力する。
属性情報は、例えば、印刷ジョブを識別するジョブ番号、印刷ジョブ名、印刷ジョブの種別、印刷の指示者の識別情報（印刷指示者識別情報）、印刷ジョブの受取人を識別するＩＣカードの識別情報（ＩＣカード識別情報）を示し、プリントサーバ１８によって、印刷ジョブに付加される。
印刷ジョブの種別は、例えば、印刷処理の前に、ＩＣカード認証を必要とするか否かなどにより区別される。
【００２７】
判定部２０２は、印刷ジョブ受信部２００から入力された印刷ジョブの属性情報が示す印刷ジョブの種別が、ＩＣカード認証を必要とする印刷ジョブ（以下、「ＩＣカード印刷ジョブ」と記述する）であるか否かを判定する。
判定部２０２は、ＩＣカード印刷ジョブであると判定した場合、入力されたＩＣカード印刷ジョブを、印刷ジョブ記憶部２１２に対して出力し、それ以外の場合、印刷制御部２１４に対して印刷ジョブを出力する。
また、判定部２０２は、印刷ジョブ受信部２００から入力された印刷ジョブの受取人が、印刷の指示者（印刷指示者）と異なるか否かを判定する。
【００２８】
具体的には、例えば、判定部２０２は、印刷ジョブの属性情報が示す印刷指示者の識別情報と、印刷ジョブの受取人のＩＣカード識別情報とが異なるか否かを判定する。
印刷ジョブの受取人が印刷指示者と異なると判定した場合、判定部２０２は、印刷ジョブ情報記憶部２０４及び通知制御部２１０に対して、後述する印刷ジョブ情報を出力する。
なお、本実施形態において、判定部２０２は、印刷ジョブの属性情報に基づいて、印刷ジョブの受取人が印刷指示者と異なるか否かを判定する場合を具体例としているが、印刷ジョブを送信したプリントサーバ１８の設置場所情報や、印刷ジョブ名、印刷データ内のキーワードなどに基づいて判定してもよい。
【００２９】
図４は、印刷ジョブ情報記憶部２０４が記憶する印刷ジョブ情報テーブルを例示する図である。
印刷ジョブ情報記憶部２０４は、判定部２０２から入力された印刷ジョブ情報を、通知制御部２１０が参照可能に記憶する。
印刷ジョブ情報は、図４に示すように、例えば、印刷ジョブの属性情報に含まれるジョブ番号、印刷ジョブ名、ＩＣカード識別情報、印刷ジョブ受信部２００により付加された印刷ジョブの受信日時、及び、受取人への印刷ジョブ情報の通知状況（通知済又は未通知）を含む。
【００３０】
通知先情報管理部２０６は、後述する通知先情報を、端末装置１４から受信して、通知先情報記憶部２０８に対して出力する。
また、通知先情報管理部２０６は、端末装置１４からＩＣカード識別情報及び削除要求を受信すると、通知先情報記憶部２０８が記憶する通知先情報テーブルから、受信したＩＣカード識別情報に対応する通知先情報を削除する。
【００３１】
図５は、通知先情報記憶部２０８が記憶する通知先情報テーブルを例示する図である。
通知先情報は、図５に示すように、例えば、ＩＣカード識別情報、及び、この識別情報に対応するユーザが使用する端末装置１４（図１）のＩＰ（Internet Protocol）アドレス（通知先ＩＰアドレス）を含む。
なお、以下、ＩＰアドレスは、端末装置１４を識別する端末識別情報の一例として用いられる。
通知先情報記憶部２０８は、通知先情報管理部２０６から入力された通知先情報を、通知制御部２１０が参照可能に記憶する。
【００３２】
具体的には、通知先情報記憶部２０８は、入力された通知先情報に含まれるＩＣカード識別情報が、通知先情報テーブルに存在しない場合、入力された通知先情報を、通知先情報テーブルに新たに追加し、通知先情報テーブルにすでに存在する場合、通知先情報テーブルの対応する通知先情報を更新する。
通知先情報テーブルの通知先情報の更新は、例えば、ユーザが、使用する端末装置（例えば、端末装置１４−１（図１））を別の端末装置（例えば、端末装置１４−２）に変更し、端末装置１４−２のＩＣカード読取装置１６に、ＩＣカードを挿入した場合に行われる。
通知制御部２１０は、判定部２０２から入力された印刷ジョブ情報、及び、通知先情報記憶部２０８が記憶する通知先情報に基づいて、端末装置１４−１〜１４−ｎのいずれかに、印刷ジョブ情報を通知する（図８を参照して後述）。
【００３３】
印刷ジョブ記憶部２１２は、判定部２０２から入力されたＩＣカード印刷ジョブを、印刷制御部２１４が参照可能に記憶する。
印刷制御部２１４は、判定部２０２から入力された印刷ジョブに対する印刷処理を行う。
また、印刷制御部２１４は、自己の画像形成装置１２と接続するＩＣカード読取装置など（図示せず）により読み取られたＩＣカード識別情報を受信すると、印刷ジョブ記憶部２１２が記憶する印刷ジョブのうち、読み取られたＩＣカード識別情報の受取人が指定された印刷ジョブに対して印刷処理を行う。
また、印刷制御部２１４は、印刷処理を行ったＩＣカード印刷ジョブと印刷ジョブ情報を、印刷ジョブ記憶部２１２及び印刷ジョブ情報記憶部２０４から削除する。
【００３４】
［端末装置プログラム２２］
図６は、端末装置１４（図１，図２）上で実行される端末装置プログラム２２の構成を例示する図である。
図６に示すように、端末装置プログラム２２は、ＩＣカード情報取得部２２０、通知先情報送信部２２２、印刷ジョブ情報表示部２２４、及び、通知先情報削除部２２６から構成される。
端末装置プログラム２２は、画像形成装置１２から通知された印刷ジョブ情報を、端末装置１４上に表示する。
【００３５】
ＩＣカード情報取得部２２０は、ＩＣカード読取装置１６（図１）により読み取られたＩＣカードの識別情報を取得し、通知先情報送信部２２２及び通知先情報削除部２２６に対して出力する。
通知先情報送信部２２２は、ＩＣカード情報取得部２２０から入力されたＩＣカード識別情報と、自己の端末装置１４のＩＰアドレスとを含む通知先情報を、予め定められた画像形成装置１２に対して送信する。
通知先情報の送信先となる画像形成装置１２は、例えば、ユーザがＩＣカード読取装置１６にＩＣカードを挿入した際に、ユーザにより指定されたり、又は、端末装置１４の設定情報などに予め設定されたりする。
【００３６】
図７は、印刷ジョブ情報表示部２２４が表示する印刷ジョブ情報の表示画面を例示する図である。
図７に示すように、印刷ジョブ情報の表示画面は、例えば、画面が表示された端末装置１４を使用するユーザを受取人として指定する印刷ジョブ名と、印刷ジョブの受信日時とを示す。
印刷ジョブ情報表示部２２４は、画像形成装置１２から通知された印刷ジョブ情報を受信すると、印刷ジョブ情報に基づいて、図７に示す表示画面を生成し、自己の端末装置１４の外部出力装置１２６（図２）に表示させる。
【００３７】
通知先情報削除部２２６は、外部入力装置１２６などを介して、自己の端末装置１４のシャットダウン（停止）要求を受け入れると、ＩＣカード取得部２２０から入力されたＩＣカード識別情報及び削除要求を、画像形成装置１２に対して送信する。
なお、通知先情報削除部２２６は、自己の端末装置１４の停止要求を受け入れた場合だけでなく、外部入力装置１２６などを介して、ユーザから、ＩＣカード識別情報を削除する明示的な要求を受け入れた場合に、ＩＣカード識別情報及び削除要求を、画像形成装置１２に対して送信してもよい。
【００３８】
［画像形成装置１２の動作例］
図８は、画像形成装置１２（図１〜図３）が印刷ジョブを受信した場合の動作例を示すフローチャートである。
以下、図８を参照して、画像形成装置１２が印刷ジョブを受信した場合の動作例をさらに説明する。
ステップ２４０（Ｓ２４０）において、印刷ジョブ受信部２００は、プリントサーバ１８（図１）から印刷ジョブを受信する。
ステップ２４２（Ｓ２４２）において、判定部２０２は、Ｓ２４０において受信した印刷ジョブが、ＩＣカード印刷ジョブであるか否かを判定する。
ＩＣカード印刷ジョブであると判定された場合、判定部２０２は、Ｓ２４４の処理に進み、それ以外の場合、印刷制御部２１４は、Ｓ２５６の処理に進む。
【００３９】
ステップ２４４（Ｓ２４４）において、判定部２０２は、Ｓ２４０において受信した印刷ジョブを、印刷ジョブ記憶部２１２に記憶させる。
ステップ２４６（Ｓ２４６）において、判定部２０２は、Ｓ２４０において受信した印刷ジョブの受取人が、印刷指示者と異なるか否かを判定する。
判定部２０２は、受取人が印刷指示者と異なると判定した場合、Ｓ２４８の処理に進み、それ以外の場合、処理を終了する。
ステップ２４８（Ｓ２４８）において、判定部２０２は、Ｓ２４０において受信した印刷ジョブの印刷ジョブ情報を、印刷ジョブ情報記憶部２０４に記憶させる。
【００４０】
以下に説明するＳ２５０〜Ｓ２５４の処理は、通知制御部２１０が、印刷指示者と受取人とが異なるＩＣカード印刷ジョブの印刷ジョブ情報を、受取人が使用する端末装置１４（図１）に通知するために実行される。
ステップ２５０（Ｓ２５０）において、通知制御部２１０は、Ｓ２４０において受信した印刷ジョブの印刷ジョブ情報から、ＩＣカード識別情報を取得する。
【００４１】
ステップ２５２（Ｓ２５２）において、通知制御部２１０は、通知先情報記憶部２０８が記憶する通知先情報テーブル（図５）を参照して、Ｓ２５０において取得したＩＣカード識別情報と一致する識別情報を含む通知先情報の通知先ＩＰアドレスを取得する。
ステップ２５４（Ｓ２５４）において、通知制御部２１０は、Ｓ２５２において取得した通知先ＩＰアドレスの端末装置１４に対して、Ｓ２４０において取得した印刷ジョブの印刷ジョブ情報を通知して、処理を終了する。
ステップ２５６（Ｓ２５６）において、印刷制御部２１４は、Ｓ２４０において取得した印刷ジョブに対して印刷処理を行い、処理を終了する。
【００４２】
［第１の印刷システム１の全体動作例］
図９は、第１の印刷システム１（図１）の全体動作例を示すシーケンス図である。
以下、図９を参照して、第１の印刷システム１の全体動作例を、さらに説明する。
また、以下の説明において、第１の印刷システム１は、２人のユーザＡ，Ｂがそれぞれ使用する２台の端末装置１４−１，１４−２、１台の画像形成装置１２及び１台のプリントサーバ１８から構成される場合を具体例とするが、これに限定されるものではない。
【００４３】
ステップ３００（Ｓ３００）において、端末装置１４−１は、自己の端末装置のＩＣカード読取装置１６（図１）に、ユーザＡのＩＣカードが挿入されると、ＩＣカードの識別情報（「１２３４５６」とする）を取得する。
ステップ３０２（Ｓ３０２）にいて、端末装置１４−１は、Ｓ３００において取得したＩＣカード識別情報と、自己のＩＰアドレス（「１０．１．１．１０」とする）とを含む通知先情報を、画像形成装置１２に対して送信する。
ステップ３０４（Ｓ３０４）において、画像形成装置１２は、端末装置１４−１から受信した通知先情報を登録する。
【００４４】
ステップ３０６（Ｓ３０６）において、端末装置１４−２は、自己の端末装置のＩＣカード読取装置１６に、ユーザＢのＩＣカードが挿入されると、ＩＣカードの識別情報（「９８７６５」とする）を取得する。
ステップ３０８（Ｓ３０８）において、端末装置１４−２は、Ｓ３０６において取得したＩＣカード識別情報と、自己のＩＰアドレス（「１０．１．１．１６」とする）とを含む通知先情報を、画像形成装置１２に対して送信する。
ステップ３１０（Ｓ３１０）において、画像形成装置１２は、端末装置１４−２から受信した通知先情報を登録する。
【００４５】
ステップ３１２（Ｓ３１２）において、プリントサーバ１８は、画像形成装置１２に対して、ＩＣカード識別情報「１２３４５６」を含む属性情報が付加された印刷ジョブを送信する。
ステップ３１４（Ｓ３１４）において、画像形成装置１２は、プリントサーバ１８から受信した印刷ジョブを通知するＩＰアドレス１０．１．１．１０を取得する。
ステップ３１６（Ｓ３１６）において、画像形成装置１２は、Ｓ３１４において取得したＩＰアドレス１０．１．１．１０の端末装置１４−１に対して、印刷ジョブ情報を通知する。
ステップ３１８（Ｓ３１８）において、端末装置１４−１は、画像形成装置１２から受信した印刷ジョブ情報を示す画面を表示する。
【００４６】
ステップ３２０（Ｓ３２０）において、プリントサーバ１８は、画像形成装置１２に対して、ＩＣカード識別情報「９８７６５」を含む属性情報が付加された印刷ジョブを送信する。
ステップ３２２（Ｓ３２２）において、画像形成装置１２は、プリントサーバ１８から受信した印刷ジョブを通知するＩＰアドレス１０．１．１．１６を取得する。
ステップ３２４（Ｓ３２４）において、画像形成装置１２は、Ｓ３２２において取得したＩＰアドレス１０．１．１．１６の端末装置１４−２に対して、印刷ジョブ情報を通知する。
【００４７】
ステップ３２６（Ｓ３２６）において、端末装置１４−２は、画像形成装置１２から受信した印刷ジョブ情報を示す画面を表示する。
なお、上記動作例においては、端末装置１４−１，１４−２の順に、画像形成装置１２へ通知先情報を送信しているが、送信順が逆であってもよい。
また、プリントサーバ１８がユーザＡ，Ｂを受取人とする印刷ジョブを送信する順が、逆であってもよい。
【００４８】
［変形例１］
上記実施形態の第１の印刷システム１において、判定部２０２（図３）は、印刷ジョブの受取人が印刷指示者と異なると判定した場合のみ、端末装置１４（図１）に対して印刷ジョブ情報を通知しているが、受取人が印刷指示者と異なるか否かに関わらず、端末装置１４に対して印刷ジョブ情報を通知する構成であってもよい。
このような構成とした場合、判定部２０２は、受取人が印刷指示者と異なるか否かを判定するステップ２４６（Ｓ２４６；図８）の処理を行わず、ステップ２４８（Ｓ２４８）の処理に進む。
【００４９】
［変形例２］
上記実施形態の第１の印刷システム１において、通知制御部２１０が、端末装置１４に対して、印刷ジョブ情報を通知済であるにも関わらず、一定時間経過後も、通知した印刷ジョブの印刷処理が完了していない場合、通知制御部２１０は、端末装置１４に対して、すでに通知した印刷ジョブ情報を再度通知する構成であってもよい。
このような構成とした場合、通知制御部２１０は、端末装置１４に対して、印刷ジョブ情報を最後に通知した時刻を保持し、保持した時刻から一定時間経過した場合、端末装置１４に対して、印刷ジョブ情報を再度通知する。
【００５０】
［第２の実施形態］
以下、本発明の第２の実施形態について説明する。
図１０は、本実施形態の実現に用いられる第２の印刷システム４の構成を例示する図である。
図１０に示すように、第２の印刷システム４は、図１に示した第１の印刷システムの端末装置１４及びＩＣカード読取装置１６を、携帯端末４２に置換した構成を取る。
携帯端末４２は、使用するユーザを識別する所有者識別情報を記憶する移動可能な通信装置の一例を示す。
本発明の第２の実施形態においては、ユーザが使用する移動可能な携帯端末に、受取人として指定された印刷ジョブ情報を通知する。
以下、上述した第１の実施形態と異なる構成のみを説明する。
【００５１】
［画像形成プログラム２０］
通知先情報管理部２０６は、通知先情報を、携帯端末４２から受信して、通知先情報記憶部２０８に対して出力する。
通知先情報は、携帯端末４２が記憶する所有者識別情報、及び、携帯端末４２を識別する端末識別情報（例えば、携帯番号、携帯メールアドレス）を含む。
所有者識別番号は、第１の実施形態におけるＩＣカード識別情報（図５）に対応し、端末識別情報は、第１の実施形態における通知先ＩＰアドレスに対応する。
通知制御部２１０は、携帯端末４２−１〜４２−ｎのいずれかに、印刷ジョブ情報を通知する。
具体的には、例えば、通知制御部２１０は、印刷ジョブ情報を含むメールを、携帯端末４２−１〜４２−ｎのいずれかの携帯メールアドレス宛に送信する。
【００５２】
［携帯端末プログラム５０］
図１１は、携帯端末４２（図１０）上で実行される携帯端末プログラム５０の構成を例示する図である。
図１１に示すように、携帯端末プログラム５０は、図６に示した端末装置プログラム２２のＩＣカード情報取得部２２０及び印刷ジョブ情報表示部２２４を、所有者識別情報取得部５００及び印刷ジョブ情報受信部５０２に置換した構成を取る。
所有者識別情報取得部５００は、携帯端末４２が記憶する所有者識別情報を取得し、通知先情報送信部２２２及び通知先情報削除部２２６に対して出力する。
【００５３】
通知先情報送信部２２２は、所有者識別情報取得部５００から入力された所有者識別情報と、自己の携帯端末４２の端末識別情報とを含む通知先情報を、予め定められた画像形成装置１２に対して出力する。
印刷ジョブ情報受信部５０２は、画像形成装置１２から通知された印刷ジョブ情報を受信する。
具体的には、例えば、印刷ジョブ情報受信部５０２は、印刷ジョブ情報を含むメールを受信する。
また、印刷ジョブ情報受信部５０２は、メールを受信するとともに、または、メールを受信せず、携帯端末４２から音や光などを出力させて、受取人に通知してもよい。
また、印刷ジョブ情報受信部５０２は、受取人として指定された印刷ジョブ情報が存在することを、携帯番号への着信通知などにより、受取人に知らせるようにしてもよい。
【００５４】
［第２の印刷システム４の全体動作例］
図１２は、第２の印刷システム２（図１０）の全体動作例を示すシーケンス図である。
以下、図１２を参照して、第２の印刷システム４の全体動作例を、さらに説明する。
また、以下の説明において、第２の印刷システム４は、２人のユーザＡ，Ｂがそれぞれ所有する２台の携帯端末４２−１，４２−２、１台の画像形成装置１２及び１台のプリントサーバ１８から構成される場合を具体例とするが、これに限定されるものではない。
また、説明の明確化、具体化のため、印刷ジョブ情報を含むメールにより、携帯端末４２へ印刷ジョブ情報を通知する場合を具体例とする。
【００５５】
ステップ６００（Ｓ６００）において、携帯端末４２−１は、自己が記憶する所有者識別情報を取得する。
ステップ６０２（Ｓ６０２）において、携帯端末４２−１は、Ｓ６００において取得した所有者識別情報と、自己の携帯メールアドレス（「abc@xxx.jp」とする）とを含む通知先情報を、画像形成装置１２に対して送信する。
ステップ３０４（Ｓ３０４）において、図９に示したＳ３０４と同様な処理を行う。
【００５６】
ステップ６０４（Ｓ６０４）において、携帯端末４２−２は、自己が記憶する所有者識別情報を取得する。
ステップ６０６（Ｓ６０６）において、携帯端末４２−２は、Ｓ６０４において取得した所有者識別情報と、自己の携帯メールアドレス（「def@yyy.jp」とする）とを含む通知先情報を、画像形成装置１２に対して送信する。
ステップ３１０（Ｓ３１０）において、図９に示したＳ３１０と同様な処理を行う。
【００５７】
ステップ３１２（Ｓ３１２）において、図９に示したＳ３１２と同様な処理を行う。
ステップ６０８（Ｓ６０８）において、画像形成装置１２は、プリントサーバ１８から受信した印刷ジョブを送信する携帯メールアドレス「abc@xxx.jp」を取得する。
ステップ６１０（Ｓ６１０）において、画像形成装置１２は、Ｓ６０８において取得した携帯メールアドレス「abc@xxx.jp」の携帯端末４２−１に対して、印刷ジョブ情報を含むメールを送信する。
ステップ６１２（Ｓ６１２）において、携帯端末４２−１は、画像形成装置１２から送信された印刷ジョブ情報を含むメールを受信する。
【００５８】
ステップ３１２（Ｓ３２０）において、図９に示したＳ３２０と同様な処理を行う。
ステップ６１４（Ｓ６１４）において、画像形成装置１２は、プリントサーバ１８から受信した印刷ジョブを送信する携帯メールアドレス「def@yyy.jp」を取得する。
ステップ６１６（Ｓ６１６）において、画像形成装置１２は、Ｓ６１４において取得した携帯メールアドレス「def@yyy.jp」の携帯端末４２−２に対して、印刷ジョブ情報を含むメールを送信する。
ステップ６１８（Ｓ６１８）において、携帯端末４２−２は、画像形成装置１２から送信された印刷ジョブ情報を含むメールを受信する。
【符号の説明】
【００５９】
１，４・・・印刷システム，
１２・・・画像形成装置，
１２０・・・本体，
１２２・・・ＣＰＵ，
１２４・・・メモリ，
１２６・・・外部入出力装置，
１２８・・・機能実現部，
１３０・・・通信装置，
１３２・・・記録装置，
１３４・・・記憶媒体，
１４・・・端末装置，
１６・・・ＩＣカード読取装置，
１８・・・プリントサーバ，
４２・・・携帯端末，
１００・・・ネットワーク，
２０・・・画像形成プログラム，
２００・・・印刷ジョブ受信部，
２０２・・・判定部，
２０４・・・印刷ジョブ情報記憶部，
２０６・・・通知先情報管理部，
２０８・・・通知先情報記憶部，
２１０・・・通知制御部，
２１２・・・印刷ジョブ記憶部，
２１４・・・印刷制御部，
２２・・・端末装置プログラム，
２２０・・・ＩＣカード情報取得部，
２２２・・・通知先情報送信部，
２２４・・・印刷ジョブ情報表示部，
２２６・・・通知先情報削除部，
５０・・・携帯端末プログラム，
５００・・・所有者識別情報取得部，
５０２・・・印刷ジョブ情報受信部
【図１】
2011198229.tif 000003
【図２】
2011198229.tif 000004
【図３】
2011198229.tif 000005
【図４】
2011198229.tif 000006
【図５】
2011198229.tif 000007
【図６】
2011198229.tif 000008
【図７】
2011198229.tif 000009
【図８】
2011198229.tif 000010
【図９】
2011198229.tif 000011
【図１０】
2011198229.tif 000012
【図１１】
2011198229.tif 000013
【図１２】
2011198229.tif 000014